(57)【要約】【課題】光ディスクを強制的に排出する場合に、ディスクを確実に制動することを実現したディスク装置を提供する。【解決手段】筐体１と、筐体１の外部のディスク着脱位置と筐体１の内部のディスク回転位置との間を移動可能に筐体１に設けられたトレー３と、トレー３に設けられ、ディスク１６を装着して回転させるスピンドルモータ１１とを備え、トレー３に、トレー３の移動に連動して回転するように制動部材２０を設け、トレー３がディスク着脱位置とディスク回転位置間の所定の区間内に位置するときに、制動部材２０の接触部２０ａをスピンドルモータ１１に当接させて、スピンドルモータ１１を制動する。【選択図】図２
2005346813.tif 000002
【特許請求の範囲】
【請求項１】
筐体と、前記筐体外部のディスク着脱位置と前記筐体内部のディスク回転位置との間を移動可能に前記筐体に設けられた搬送体と、前記搬送体に設けられ、ディスクを装着して回転させる回転体と、前記搬送体に設けられ、かつ前記搬送体が前記ディスク着脱位置と前記ディスク回転位置間の所定の区間内に位置するときに前記回転体または前記ディスクを制動する制動手段とを備えたことを特徴とするディスク装置。
【請求項２】
前記制動手段は、前記搬送体が前記所定の区間の外から区間内へ移動したときに前記回転体またはディスクを制動し、前記搬送体が前記所定の区間内から区間の外へ移動したときに前記制動を解除する手段を含むことを特徴とする請求項１記載のディスク装置。
【請求項３】
前記制動手段は、制動部材を前記回転体または前記ディスクへ当接し、摩擦力を付与して制動する制動部材と前記制動部材を前記回転体または前記ディスクへ付勢する付勢手段を備えたことを特徴とする請求項２記載のディスク装置。
【請求項４】
前記搬送体が前記所定の区間の外に位置するときは、前記制動部材が前記回転体または前記ディスクに当接を避ける方向へ付勢されることを特徴とする請求項３記載のディスク装置。
【請求項５】
前記付勢手段は、前記制動部材および前記筐体に設けられ、かつ前記搬送体が前記区間内に位置するとき前記制動部材を押圧して前記回転体または前記ディスクに当接させる押圧突起を備えたことを特徴とする請求項３または４記載のディスク装置。
【請求項６】
前記制動部材は、前記回転体または前記ディスクに当接し、摩擦力を付与する部分が弾性体によって構成されることを特徴とする請求項３〜５のいずれか１項に記載のディスク装置。
【請求項７】
前記ディスクは情報記録媒体であり、前記搬送体に設けられ、情報の再生または記録を行うヘッド機構を備え、前記搬送体が前記ディスク着脱位置と前記ディスク回転位置間のどの位置にある場合でも、前記制動手段は前記ヘッド機構の移動軌跡と重ならない位置に配置されていることを特徴とする請求項１〜６のいずれか１項に記載のディスク装置。
【請求項８】
前記ディスクは光ディスクであり、前記ヘッド機構は光ピックアップであることを特徴とする請求項７記載のディスク装置。
【発明の詳細な説明】
【技術分野】
【０００１】
本発明は、パーソナルコンピュータ等に搭載されているディスク装置に関するものである。
【背景技術】
【０００２】
近年、パーソナルコンピュータ（以下、パソコン）の小型化・薄型化がすすみ、ノート型パソコンに搭載されている光ディスク装置では、その厚さに厳しい制限が要求される。そして、現在のノート型パソコンに搭載されているほぼ全ての光ディスク装置においては、ユーザーが装置本体の外部でディスクを着脱操作を行い、スピンドルモータにより回転されるターンテーブル上に光ディスクをロックさせる構造になっている。このような装置では、ディスクを着脱するためにトレーを排出するときに、光ディスクを搬送するトレーとともにターンテーブルもディスクの着脱位置まで引き出されることになる。
【０００３】
しかし、前述の光ディスク装置においては、スピンドルモータに電気的な制動を与えずに光ディスクを強制的に排出する場合、ディスクは回転したまま排出されることになり、非常に危険である。そこで、前述のような場合にディスクを制動する種々の装置が提案されている。
【０００４】
また従来におけるこの種の技術としては、特許文献１〜３に記載されているものがある。特許文献１には、イジェクト時の搬送時に、ディスク筐体に固着された制動部材がディスクの側面に当接し、ディスクの回転を停止させる、というディスク装置が記載されている。
【０００５】
特許文献２には、イジェクト時の搬送時に、ディスク筐体に固着された制動部材がディスク回転体の側面に当接し、ディスクの回転を停止させる、というディスク装置が記載されている。
【０００６】
特許文献３には、イジェクト時の搬送時に、ディスク筐体の天板に固着された制動部材がディスクの上面に当接し、ディスクの回転を停止させる、というディスク装置が記載されている。
【特許文献１】特許第３２５８８８８号公報
【特許文献２】特開２０００−７６７８０号公報
【特許文献３】特開２００２−１９７７７９号公報
【発明の開示】
【発明が解決しようとする課題】
【０００７】
これまでに、ディスク排出時において、ディスクの側面に、筐体に固着された弾性体を接触させる装置とディスク排出時にターンテーブルの回転部に筐体に固着された弾性体を接触させる装置が提案されているが、前者では、例えば１２ｃｍＣＤと８ｃｍＣＤに同時に対応できないという不都合があり、後者では、光ピックアップの移動軌跡に重ならないよう制動力を付加する弾性体を配置することが困難になるという不都合がある。
【０００８】
本発明は、このような問題点を解決し、光ディスクを強制的に排出する場合に、ディスクを確実に制動することを実現したディスク装置を提供することを目的とする。
【課題を解決するための手段】
【０００９】
請求項１記載の発明は、ディスクを回転させるディスク装置であり、筐体と、前記筐体外部のディスク着脱位置と前記筐体内部のディスク回転位置との間を移動可能に前記筐体に設けられた搬送体と、前記搬送体に設けられ、ディスクを装着して回転させる回転体と、前記搬送体に設けられ、かつ前記搬送体が前記ディスク着脱位置と前記ディスク回転位置間の所定の区間内に位置するときに前記回転体または前記ディスクを制動する制動手段とを備えたことを特徴とする。
【００１０】
請求項２記載の発明は、請求項１記載のディスク装置であって、前記制動手段は、前記搬送体が前記ディスク回転位置にあるときは回転を妨げることはなく、ディスクの排出時、前記搬送体が前記ディスク回転位置から前記ディスク着脱位置へ移動する過程において、前記制動手段は、前記搬送体が前記所定の区間の外から区間内へ移動したときに前記回転体またはディスクを制動し、前記搬送体が前記所定の区間内から区間の外へ移動したときに前記制動を解除する手段を含むことを特徴とする。
【００１１】
請求項３記載の発明は、請求項２記載のディスク装置であって、前記制動手段は、制動部材を前記回転体または前記ディスクへ当接し、摩擦力を付与して制動する制動部材と前記制動部材を前記回転体または前記ディスクへ付勢する付勢手段を備えたことを特徴とする。
【００１２】
請求項４記載の発明は、請求項３記載のディスク装置であって、前記搬送体が前記所定の区間の外に位置するときは、前記制動部材が前記回転体または前記ディスクに当接して回転を妨げないように、前記搬送体が前記所定の区間の外に位置するときは、前記制動部材が前記回転体または前記ディスクに当接を避ける方向へ付勢されることを特徴とする。
【００１３】
請求項５記載の発明は、請求項３または４記載のディスク装置であって、前記付勢手段は、前記制動部材および前記筐体に設けられ、かつ前記搬送体が前記区間内に位置するとき前記制動部材を押圧して前記回転体または前記ディスクに当接させる押圧突起を備えたことを特徴とする。
【００１４】
請求項６記載の発明は、請求項３〜５のいずれか１項に記載のディスク装置であり、前記制動部材は、前記回転体または前記ディスクに当接し、摩擦力を付与する部分が弾性体によって構成されることを特徴とする。
【００１５】
請求項７の発明は、請求項１〜６のいずれか１項に記載のディスク装置であり、前記ディスクは情報記録媒体であり、前記搬送体に設けられ、情報の再生または記録を行うヘッド機構を備え、前記搬送体が前記ディスク着脱位置と前記ディスク回転位置間のどの位置にある場合でも、前記制動手段は前記ヘッド機構の移動を妨げることのないように前記ヘッド機構の移動軌跡と重ならない位置に配置されていることを特徴とする。
【００１６】
請求項８記載の発明は、請求項７記載のディスク装置であって、前記ディスクは光ディスクであり、前記ヘッド機構は光ピックアップであることを特徴とする。
【発明の効果】
【００１７】
本発明によれば、筐体外部のディスク着脱位置と筐体内部のディスク回転位置との間の所定の区間でのみスピンドルモータに制動を行い、前記所定の区間外ではスピンドルモータの回転を妨げることの無いよう制動を解除することが可能である。また、ディスクを短時間で停止させ、例えば１２ｃｍＣＤ，８ｃｍＣＤの径の異なるディスクに対応し、かつ制動機構の配置の問題も解決することが可能である。
【発明を実施するための最良の形態】
【００１８】
以下、本発明の実施形態について、図面を参照しながら説明する。
【００１９】
図１は本発明の第１の実施形態におけるディスク装置の概略構成を示す分解斜視図である。
【００２０】
図１に示すディスク装置は光ディスクドライブ装置（以下、ドライブと称する）である。前面が開口した形状のドライブの筐体１は、上側のカバーであるトップカバー１ａおよび下側のカバーであるボトムカバー１ｂがスクリュー２によって固定された構成である。筐体１には押圧突起１５ａまたは押圧突起１５ｂの少なくとも一方が形成されている。なお、第１の実施形態においては押圧突起１５ａが、後述する第２の実施形態においては押圧突起１５ｂが形成されているものとする。
【００２１】
筐体１の開口部は、光ディスクの搬送体であるトレー３が筐体１内へ押し込まれたとき、トレー３に設けられたベゼル１２によって蓋がされるように構成されている。このベゼル１２の前面にはイジェクトボタン１３が配置されており、さらに緊急イジェクトホール１４が形成されている。
【００２２】
また、筐体１の内部には、パソコンとのインターフェースやドライブの制御部や各種信号処理を行うＬＳＩなどが実装された基板４が収容されている。また、トレー３は、筐体１に設けられたガイド機構５ａ，５ｂにより、図１の方向Ａ，Ａ’方向に移動自在に設けられている。これにより、トレー３は筐体１の内部のディスク回転位置と筐体１の外部のディスク着脱位置を移動することが可能となる。
【００２３】
また、第１の実施形態のドライブには、トレー３が筐体１内部のディスク回転位置まで押し込まれたときに、トレー３をその場に固定するロック機構（図示せず）が備えられている。このロック機構がロック状態にある時には、イジェクトボタン１３を押してソレノイドを駆動させたり、緊急イジェクト用ホール１４からピン等を押し込むことにより、ロック機構のロックを外すことが可能なように構成されている。
【００２４】
また、トレー３は、ユーザの手によって筐体１の内部側に押し込むか、またはイジェクトボタン１３を押すことにより、筐体１の内部に移動してディスク回転位置において、前記ロック機構によりロックされる。そして、ロックが外されることによりトレー３はバネ９に押されて筐体１の外へ排出される。
【００２５】
トレー３にはトラバース６が設けられており、このトラバース６には、光ディスクにレーザーを照射して情報の読み書きを行うピックアップ８とスピンドルモータ１１およびディスクを上に載せて固定する機構を持ったターンテーブル１０が備えられている。
【００２６】
図２は第１の実施形態のドライブにおいてトップカバーおよびトラバースカバーを外した構成を示す平面図である。
【００２７】
ピックアップ８は、トラバース６に備えられたガイドシャフト１９ａ，１９ｂに沿って移動可能に設けられている。また、ピックアップ８には、スクリューシャフト１８に噛合するティース２６が備えられており、トラバース６に備えられたシークモータ１７がスクリューシャフト１８を回転させることによりピックアップ８の移動を行う。また、トラバース６はダンパ２７を介して、トレー３に遊着されている。
【００２８】
ターンテーブル１０の近傍には、ディスク１６の排出時、つまりトレー３が筐体１から排出される時に、ターンテーブル１０に固定されたディスク１６の回転を制動するための制動機構が設けられており、この制動機構によって、ターンテーブル１０を駆動するスピンドルモータ１１が制動される。
【００２９】
制動機構は、制動部材２０と、スピンドルモータ１１の回転部に触れて摩擦による制動を行う弾性体からなる接触部２０ａと、制動部材２０の回転中心となりかつトラバース６に設けられた回転支軸２０ｃと、付勢バネ２２により常に接触部２０ａがスピンドルモータ１１から離れる向きに付勢される力を受ける付勢バネ受け部２０ｂとを備えたものである。また、制動部材２０は、ストッパ２１による規制によって必要以上に右回転をすることはない。また、制動部材２０における回転支軸２０ｃを挟んで接触部２０ａの反対側は、トレー３の移動可能方向に対して垂直、かつ筐体１に設けられた押圧突起１５ａとの接触側に凸となるように設計されている。付勢バネ２２は、トラバース６に設けられたストッパ２１と付勢バネ受け部２０ｂの間に退けあう力を与える。
【００３０】
次に、図２〜４を用いて、トレーイジェクト時の制動の様子を説明する。図２は、トレー３がディスク回転位置におり、ロック（図示せず）がされた状態を示している。ここで、緊急イジェクト等により、スピンドルモータ１１の電気的な制動が十分でない（もしくは全くない）状態でロックが外され、トレー３が排出されるとする。この時、押圧突起１５ａが制動部材２０の凸部を摺接しながら移動し、これに連動して制動部材２０が回動して、接触部２０ａがスピンドルモータ１１側に移動する。
【００３１】
図３はトレー排出時の制動の様子を示すものであり、トレー３は、バネにより排出される。その過程において、制動部材２０の凸部と押圧突起１５ａが接触し、制動部材２０を付勢バネ２２の与える力に抗してＢの方向へ回転させ、接触部２０ａをスピンドルモータ１１の回転部に接触させ、制動を行う。
【００３２】
図４は図３の状態からさらにトレー３が排出された様子を示すものであり、トレー３の移動により、制動部材２０の凸部と押圧突起１５ａが離れ、再び制動部材２０は付勢バネ２２の力を受けてＢ’の方向へ回転する。よって、接触部２０ａとスピンドルモータ１１の接触は解除され、制動も解除される。
【００３３】
以上で説明したように、第１の実施形態のドライブによれば、筐体１外部のディスク着脱位置と筐体１内部のディスク回転位置との間の所定の区間でのみスピンドルモータの制動を行い、前記所定の区間外ではスピンドルモータの回転を妨げることの無いように制動を解除することが可能である。また、ディスクを短時間で停止し、例えば１２ｃｍＣＤ，８ｃｍＣＤの径の異なるディスクに対応し、かつ制動機構の配置の問題も解決することが可能である。
【００３４】
次に、本発明の第２の実施形態を図５〜８を用いて説明する。なお、図２に示す第１の実施形態における部材と同一または同一機能の部材については、同一の符号を付して、詳細な説明は省略した。
【００３５】
図５は本発明の第２の実施形態における制動機構を示す概略図である。第２の実施形態では、ディスク１６の排出時、つまりトレー３が筐体１から排出される時に、ターンテーブル１０に固定されたディスク１６の回転を制動する。
【００３６】
第２の実施形態における制動機構は、制動部材３０と、ディスク１６に触れ摩擦による制動を行う弾性体の接触部３０ａと、制動部材３０の回転中心となるトレー３に設けられた回転支軸３０ｃと、付勢バネ３２により常に接触部３０ａがディスク１６から離れる向きに付勢される力を受ける付勢バネ受け部３０ｂを備えている。制動部材３０はトレー３の下側に設けられているが、接触部３０ａは起立して設けられており、トレー３に開けられた貫通孔３４よりディスク１６の側面に接触可能となっている。また、制動部材３０は、筐体１に設けられている押圧突起１５ｂにより、必要以上の右回転をすることはない。また、制動部材３０において、押圧突起１５ｂに接触する面には、トレー３の移動可能方向と垂直かつ押圧突起１５ｂと接触する側に凸となるよう板バネ３５が固着されている。
【００３７】
付勢バネ３２は、トレー３に設けられた付勢バネ受け（トレー側）３３と付勢バネ受け部３０ｂの間に退けあう力を与える。
【００３８】
以下、図６〜８を用いて、トレー排出時の制動の様子を説明する。図６は、トレー３はディスク回転位置におり、ロック（図示せず）がされた状態を示すものである。ここで、緊急イジェクト等により、スピンドルモータ１１の電気的な制動が十分でない（もしくは全くない）状態でロックが外され、トレー３が排出されるとする。
【００３９】
図７はトレー排出時の制動の様子を示している。トレー３は、バネにより排出される。その過程において、制動部材３０に設けられた板バネ３５の凸部と押圧突起１５ｂが接触し、制動部材３０を付勢バネ３２の与える力に抗してＣの方向へ回転させ、接触部３０ａをディスク１６の側面に接触させ、制動を行う。
【００４０】
図８は図７の状態からさらにトレー３が排出された様子を示している。トレー３の移動により、板バネ３５の凸部と押圧突起１５ｂが離れ、再び制動部材３０は付勢バネ３２の力を受けてＣ’の方向へ回転する。よって、接触部３０ａとディスク１６の接触は解除され、制動も解除される。
【００４１】
以上で説明したように、第２の実施形態のドライブにより、筐体１外部のディスク着脱位置と筐体１内部のディスク回転位置との間の所定の区間でのみディスクの制動を行い、所定の区間外ではディスクの回転を妨げることの無いよう制動を解除することが可能である。また、ディスクを短時間で停止し、かつ制動機構の配置の問題も解決することが可能である。
【００４２】
以上、本発明の実施形態について説明してきたが、第１，第２の実施形態の構成を両方備えても良いことは言うまでもない。
【産業上の利用可能性】
【００４３】
本発明によれば、スピンドルモータの回転を妨げることの無いよう制動を解除することが可能であり、また、ディスクを短時間で停止し、例えば１２ｃｍＣＤ，８ｃｍＣＤの径の異なるディスクに対応し、かつ制動機構の配置の問題も解決することが可能であるため、ＣＤ、ＤＶＤ等の光ディスクの分野において有用である。
【図面の簡単な説明】
【００４４】
【図１】本発明の第１の実施形態におけるディスク装置の概略構成を示す分解斜視図
【図２】第１の実施形態のドライブにおいてトップカバーおよびトラバースカバーを外した構成を示す平面図
【図３】第１の実施形態のドライブにおけるトレー排出時の制動の様子を示す平面図
【図４】図３の状態からさらにトレー３排出された様子を示す平面図
【図５】本発明の第２の実施形態における制動機構を示す概略図
【図６】第２の実施形態のドライブにおけるトレーがディスク回転位置にあってロックされた状態を示す平面図
【図７】第２の実施形態のドライブにおけるトレー排出時の制動の様子を示す平面図
【図８】図７の状態からさらにトレーが排出された様子を示す平面図
【符号の説明】
【００４５】
１  筐体
１ａ  トップカバー
１ｂ  ボトムカバー
２  スクリュー
３  トレー
４  基板
５ａ，５ｂ  ガイド機構
６  トラバース
７  トラバースカバー
８  ピックアップ
９  バネ
１０  ターンテーブル
１１  スピンドルモータ
１２  ベゼル
１３  イジェクトボタン
１４  緊急イジェクト用ホール
１５ａ，１５ｂ  押圧突起
１６  ディスク
１７  シークモータ
１８  スクリューシャフト
１９ａ，１９ｂ  ガイドシャフト
２０，３０  制動部材
２０ａ，３０ａ  接触部
２０ｂ，３０ｂ  付勢バネ受け部
２０ｃ，３０ｃ  回転支軸
２１  ストッパ
２２，３２  付勢バネ
２６  ティース
２７  ダンパ
３３  付勢バネ受け
３４  貫通孔
３５  板バネ
【図１】
2005346813.tif 000003
【図２】
2005346813.tif 000004
【図３】
2005346813.tif 000005
【図４】
2005346813.tif 000006
【図５】
2005346813.tif 000007
【図６】
2005346813.tif 000008
【図７】
2005346813.tif 000009
【図８】
2005346813.tif 000010